【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
書類に記載された情報を光学的に遮断する遮蔽手段と、
前記遮蔽手段に形成される開口の形態を制御する開口制御手段と、
前記書類における項目に対して情報が記載されている部分を撮像できるように前記開口の形態が前記開口制御手段により制御された前記開口を通して、前記書類の部分画像を撮像する撮像手段と、
前記部分画像から、前記項目に対して情報が記載された記載領域を特定する記載領域特定手段と、
を備え、
前記撮像手段が、前記開口制御手段により前記記載領域に基づいて前記開口の形態が制御された前記開口を通して、前記部分画像を撮像して出力することを特徴とする書類撮像装置。
【請求項２】
請求項１に記載の書類撮像装置において、
前記開口制御手段が、前記書類に応じた所定の形式に基づき、前記項目に対して情報が記載されている部分を撮像できるように前記開口の形態を制御することを特徴とする書類撮像装置。
【請求項３】
請求項１または請求項２に記載の書類撮像装置において、
前記記載領域特定手段が、前記部分画像に対する画像認識により前記記載領域を特定することを特徴とする書類撮像装置。
【請求項４】
請求項１から３のいずれか１項に記載の書類撮像装置において、
前記部分画像が、複数の前記項目のうち、単独の項目に対して情報が記載されている部分の画像であることを特徴とする書類撮像装置。
【請求項５】
請求項１から４のいずれか１項に記載の書類撮像装置において、
前記部分画像が使用された後に、前記部分画像を消去する消去手段を更に備えたことを特徴とする書類撮像装置。
【請求項６】
遮蔽手段が、書類に記載された情報を光学的に遮断する遮蔽ステップと、
開口制御手段が、前記遮蔽手段に形成される開口の形態を制御する開口制御ステップと、
撮像手段が、前記書類における項目に対して情報が記載されている部分を撮像できるように前記開口の形態が前記開口制御手段により制御された前記開口を通して、前記書類の部分画像を撮像する撮像ステップと、
記載領域特定手段が、前記部分画像から、前記項目に対して情報が記載された記載領域を特定する記載領域特定ステップと、
を含む、
前記撮像ステップにおいて、前記開口制御手段により前記記載領域に基づいて前記開口の形態が制御された前記開口を通して、前記部分画像を撮像して出力することを特徴とする書類撮像方法。
【請求項７】
コンピュータを、
書類に記載された情報を光学的に遮断する遮蔽手段、
前記遮蔽手段に形成される開口の形態を制御する開口制御手段、
前記書類における項目に対して情報が記載されている部分を撮像できるように前記開口の形態が前記開口制御手段により制御された前記開口を通して、前記書類の部分画像を撮像する撮像手段、および、
前記部分画像から、前記項目に対して情報が記載された記載領域を特定する記載領域特定手段として機能させ、
前記撮像手段が、前記開口制御手段により前記記載領域に基づいて前記開口の形態が制御された前記開口を通して、前記部分画像を撮像して出力することを特徴とする書類撮像装置用のプログラム。
【請求項８】
書類に関する書類情報を管理する管理装置と、前記書類を撮像する書類撮像装置と、を備えた管理システムにおいて、
前記書類撮像装置が、
前記書類に記載された情報を光学的に遮断する遮蔽手段と、
前記遮蔽手段に形成される開口の形態を制御する開口制御手段と、
前記書類における項目に対して情報が記載されている部分を撮像できるように前記開口の形態が前記開口制御手段により制御された前記開口を通して、前記書類の部分画像を撮像する撮像手段と、
前記部分画像から、前記項目に対して情報が記載された記載領域を特定する記載領域特定手段と、
を有し、
前記撮像手段が、前記開口制御手段により前記記載領域に基づいて前記開口の形態が制御された前記開口を通して、前記部分画像を撮像し、
前記書類撮像装置が、前記撮像した前記部分画像を前記管理装置に送信することを特徴とする管理システム。
【手続補正２】
【補正対象書類名】明細書
【補正対象項目名】０００６
【補正方法】変更
【補正の内容】
【０００６】
上記の課題を解決するために、請求項１に記載の発明は、書類に記載された情報を光学的に遮断する遮蔽手段と、前記遮蔽手段に形成される開口の形態を制御する開口制御手段と、前記書類における項目に対して情報が記載されている部分を撮像できるように前記開口の形態が前記開口制御手段により制御された前記開口を通して、前記書類の部分画像を撮像する撮像手段と、前記部分画像から、前記項目に対して情報が記載された記載領域を特定する記載領域特定手段と、を備え、前記撮像手段が、前記開口制御手段により前記記載領域に基づいて前記開口の形態が制御された前記開口を通して、前記部分画像を撮像して出力することを特徴とする。
【手続補正３】
【補正対象書類名】明細書
【補正対象項目名】０００８
【補正方法】変更
【補正の内容】
【０００８】
また、請求項３に記載の発明は、請求項１または請求項２に記載の書類撮像装置において、前記記載領域特定手段が、前記部分画像に対する画像認識により前記記載領域を特定することを特徴とする。
【手続補正４】
【補正対象書類名】明細書
【補正対象項目名】００１１
【補正方法】変更
【補正の内容】
【００１１】
また、請求項６に記載の発明は、遮蔽手段が、書類に記載された情報を光学的に遮断する遮蔽ステップと、開口制御手段が、前記遮蔽手段に形成される開口の形態を制御する開口制御ステップと、撮像手段が、前記書類における項目に対して情報が記載されている部分を撮像できるように前記開口の形態が前記開口制御手段により制御された前記開口を通して、前記書類の部分画像を撮像する撮像ステップと、記載領域特定手段が、前記部分画像から、前記項目に対して情報が記載された記載領域を特定する記載領域特定ステップと、を含む、前記撮像ステップにおいて、前記開口制御手段により前記記載領域に基づいて前記開口の形態が制御された前記開口を通して、前記部分画像を撮像して出力することを特徴とする。
【手続補正５】
【補正対象書類名】明細書
【補正対象項目名】００１２
【補正方法】変更
【補正の内容】
【００１２】
また、請求項７に記載の発明は、コンピュータを、書類に記載された情報を光学的に遮断する遮蔽手段、前記遮蔽手段に形成される開口の形態を制御する開口制御手段、前記書類における項目に対して情報が記載されている部分を撮像できるように前記開口の形態が前記開口制御手段により制御された前記開口を通して、前記書類の部分画像を撮像する撮像手段、および、前記部分画像から、前記項目に対して情報が記載された記載領域を特定する記載領域特定手段として機能させ、前記撮像手段が、前記開口制御手段により前記記載領域に基づいて前記開口の形態が制御された前記開口を通して、前記部分画像を撮像して出力することを特徴とする。
また、請求項８に記載の発明は、書類に関する書類情報を管理する管理装置と、前記書類を撮像する書類撮像装置と、を備えた管理システムにおいて、前記書類撮像装置が、前記書類に記載された情報を光学的に遮断する遮蔽手段と、前記遮蔽手段に形成される開口の形態を制御する開口制御手段と、前記書類における項目に対して情報が記載されている部分を撮像できるように前記開口の形態が前記開口制御手段により制御された前記開口を通して、前記書類の部分画像を撮像する撮像手段と、前記部分画像から、前記項目に対して情報が記載された記載領域を特定する記載領域特定手段と、を有し、前記撮像手段が、前記開口制御手段により前記記載領域に基づいて前記開口の形態が制御された前記開口を通して、前記部分画像を撮像し、前記書類撮像装置が、前記撮像した前記部分画像を前記管理装置に送信することを特徴とする。
【手続補正６】
【補正対象書類名】明細書
【補正対象項目名】発明の名称
【補正方法】変更
【補正の内容】
【発明の名称】書類撮像装置、書類撮像方法、書類撮像装置用のプログラム、および、管理システム